(57)【特許請求の範囲】
【請求項１】
受皿部と、この受皿部の底部からその下方に延びる筒部と、前記受皿部と筒部との境の部分からその上方に突出する環状の水返し壁とを有するドレイン本体を備え、前記水返し壁の内面が滑らかな曲面を経て前記筒部の内面に連なり、これら水返し壁と筒部とで口径が上部から下部に向って縮小する漏斗部が構成され、ドレイン本体の上方に縦樋管が前記漏斗部と同心的に配置され、前記漏斗部の上部の口径が前記縦樋管の内径より大きく、前記漏斗部の下部の口径が前記縦樋管の内径より小さくなっており、前記縦樋管から前記漏斗部内に雨水が流入してその下方に排出されることを特徴とするファンネル式雨水用ドレイン。
【発明の詳細な説明】
【０００１】
【発明の属する技術分野】
この発明は、例えばマンションのバルコニーに設けて雨水の排水に用いるファンネル式雨水用ドレインに関する。
【０００２】
【従来の技術】
マンション等の建屋における各階のバルコニーにはそれぞれ雨水用ドレインが設けられ、その各階のドレインが縦樋管を介して順次接続されている。そして降雨時の雨水が各階のバルコニーからドレイン内に流れ込むとともに、この雨水が縦樋管を通り、順次その下階側のバルコニーのドレインを経て地表の排水溝等に排出される。
【０００３】
従来のこの種の雨水用ドレインは、図４に示すように、筒状でその軸方向中間部の内側に段部ａ１を有するドレイン本体ａを備え、このドレイン本体ａの上端の開口部にストレーナｂが設けられ、このストレーナｂ内に縦樋管ｃが挿入されている。降雨時にはバルコニーからストレーナｂを通してドレイン本体ａ内に雨水が流れ込むとともに、上階側の雨水が縦樋管ｃを通してドレイン本体ａ内に落下する。
【０００４】
【発明が解決しようとする課題】
縦樋管ｃを通してドレイン本体ａ内に流入する雨水の多くはそのドレイン本体ａの内側の段部ａ１の上に落下するが、豪雨等によりその雨水の流量が多量であるときには、段部ａ１の上に雨水が衝撃水となって流れ落ち、その一部が吹き上がってストレーナｂからバルコニーの床面に溢れ出る。そして縦樋管ｃ内の流下水圧が低下しない限り、ますます雨水が溢れ出てバルコニーの床面に溜まってしまう。このため、バルコニーの床面と室内の床面との間がバリヤフリーとなっているような場合には、室内に雨水が流れ込んでしまう恐れがある。
【０００５】
また、雨水がドレイン本体ａから吹きあがるときには、連続的にピチャピチャというような不快な不協和音が生じ、これが静けさのなかでは騒音となって周辺に響き、マンションの居住者等に不快感を与えてしまう。
【０００６】
そこで、ドレイン本体の上部に配置するストレーナの内側に漏斗部を設け、縦樋管からその漏斗部を通して雨水を吹き上がりを起すことなくドレイン本体内に流入させるようにした雨水用ドレインが提案されている。
【０００７】
ストレーナの内側に設けられた漏斗部は上部の口径が縦樋管の外径より大きく、下部の口径が縦樋管の外径より小さくなっている。そしてこの漏斗部の上部の開口内に縦樋管が挿入され、この縦樋管から漏斗部を通して雨水がドレイン本体内にガイドされるようになっている。
【０００８】
ところで、このような雨水用ドレインの施工にあたっては、バルコニーのスラブにドレイン本体を据え付け、このドレイン本体の上にストレーナを配置する。そして縦樋管の配管時には、その縦樋管の外周にストレーナを通し、この状態で縦樋管の上端部を上階側のバルコニーのドレインに接続するとともに下端部を当該階のドレイン本体の上部に同軸的に配置させ、さらにこの状態で縦樋管の外周に通してあるストレーナを引き下げてドレイン本体の上部に設置して止めねじ等により固定し、かつこのストレーナに対して縦樋管を止めねじ等で固定する。
【０００９】
ところが、上述のように、ストレーナの内側に漏斗部が設けられているドレインにおいては、その漏斗部の下端の口径が縦樋管の外径より小さいから、ストレーナを縦樋管の途中の位置まで通すようなことができず、このため縦樋管を二段式に構成するなど、複雑な構造や作業が要求され、縦樋管を据え付ける施工が相当面倒となるという問題がある。
【００１０】
この発明はこのような点に着目してなされたもので、その目的とするところは、ドレイン本体の外部への雨水の吹き上がりや飛散を防止することができるとともに、容易に能率よく施工することができるファンネル式雨水用ドレインを提供することにある。
【００１１】
【課題を解決するための手段】
この発明はこのような目的を達成するために、受皿部と、この受皿部の底部からその下方に延びる筒部と、前記受皿部と筒部との境の部分からその上方に突出する水返し壁とを有するドレイン本体を備え、前記水返し壁の内面が滑らかな曲面を経て前記筒部の内面に連なり、これら水返し壁と筒部とで口径が上部から下部に向って縮小する漏斗部が構成されおり、ドレイン本体の上方に縦樋管を前記漏斗部と同心的に配置し、この縦樋管から前記漏斗部内に雨水を流入させてその下方に排出させるようにしたものである。
【００１２】
【発明の実施の形態】
以下、この発明の実施形態について図１ないし図３を参照して説明する。
【００１３】
図１にはこの発明の第１の実施形態によるファンネル式雨水用ドレインを示してある。図に示す符号１は例えばマンションのバルコニーを構成するコンクリートスラブで、このスラブ１内にドレイン本体２が埋め込まれ、アンカー２ａを介して固定されている。
【００１４】
このドレイン本体２はコンクリート打設同時施工によりスラブ１に据え付けられている。すなわち、スラブ１の施工の際に予めドレイン本体２をバルコニー成形用の型枠（図示せず）の上に筒状のスペーサ３を介して水平に支持し、この状態で型枠の上にコンクリートを打設してドレイン本体２をスラブ１に固定する方法で据え付けられている。
【００１５】
ドレイン本体２は上部の受皿部４と、この受皿部４からその下方に延びる筒部５とから一体に形成されている。そしてドレイン本体２の内部に、受皿部４と筒部５との境の部分において水返し壁６が上方に向って一体に突出形成されている。この水返し壁６は筒部５と同心的な環状をなし、その互いに対向する一部分に切欠部７が形成されている。
【００１６】
水返し壁６の内径は筒部５の内径より大きく、この水返し壁６の内面が滑らかな曲面を経て筒部５の内面に連なり、これら水返し壁６と筒部５とにより上部から下部に向って口径が緩やかに縮小する漏斗部８が構成されている。
【００１７】
受皿部４の上部には筒状のストレーナ９が設けられ、このストレーナ９は水返り壁６を囲むように配置され、止めねじ１０によりドレイン本体２に着脱可能に取り付けられ、このストレーナ９の周面にスリット状をなす通水孔１１が均等的に複数形成されている。
【００１８】
１４は上階側のバルコニーの雨水用ドレインに通じる縦樋管で、この縦樋管１４の下端部が当該階のバルコニーにおける雨水用ドレインのストレーナ９内に挿入され、止めねじ１５を介してそのストレーナ９に固定されている。
【００１９】
縦樋管１４はドレイン本体２の漏斗部８と同軸的に配置されている。そして漏斗部８の上部の口径が縦樋管１４の内径より大きく、下部の口径が縦樋管１４の内径より小さい関係となっている。
【００２０】
ドレイン本体２における筒部５の外周にはスペーサ３により環状の空間１６が確保されている。そして下階側のバルコニーの雨水用ドレインに通じる縦樋管１４′の上端部が前記空間１６を介して筒部５の外周に遊嵌されている。
【００２１】
降雨時にはバルコニーの床面からストレーナ９の各通水孔１１を通して雨水がドレイン本体２の受皿部４内に流れ込むとともに、この雨水が水返し壁６の切欠部７から筒部５内に流入して下方に落下する。また、同時に縦樋管１４からドレイン本体２内に順次雨水が流入する。
【００２２】
豪雨時等の雨量が多量のときには、縦樋管１４から雨水が円筒形の瀑布となって勢いよくドレイン本体２内に流れ落ち続ける。ここで、縦樋管１４の下方には漏斗部８が配置しており、このため縦樋管１４から円筒形の瀑布となって勢いよく流れ落ちる雨水は、漏斗部８内に流入し、その漏斗部８の内面の漏斗形状にガイドされて吹き上がりを起すことなく滑らかにその下方に流れ込む。
【００２３】
縦樋管１４の内周に沿って流出する雨水は、水返し壁６の内側下方の曲面部に衝突して筒部５の下方にガイドされ、したがってその衝突時の飛沫は水返し壁６により遮断され、外部への飛散が確実に抑えられる。
【００２４】
このように、縦樋管１４から流出する雨水は、吹き上がりや飛散することなく漏斗部８を通して順次円滑にその下方に排出され、したがってドレイン本体２から雨水が溢れ出てバルコニーの床面の上に溜まるようなことがなく、このためバルコニーがバリヤフリー構造であっても問題がなく、また不快な不協和音が生じることもほとんどなく、マンション等の居住者に不快感を与えず、静かな居住環境を保つことができる。
【００２５】
一方、この発明の雨水用ドレインにおいては、雨水を滑らかにガイドするための漏斗部８がドレイン本体２に設けられており、このため縦樋管１４をドレインに据え付ける施工を容易に行なうことができる。
【００２６】
縦樋管１４をドレインに据え付ける際には、まず縦樋管１４の外周にストレーナ９を通して止めねじ１５で仮止めし、この状態で縦樋管１４の上端部を上階側のバルコニーのドレインに接続するとともに下端部を当該階のドレイン本体２の上部に同軸的に配置させ、さらにこの状態で縦樋管１４の外周に仮止めしてあるストレーナ９を引き下げてドレイン本体２の上部に設置して止めねじ１０で固定し、またこのストレーナ９に対して縦樋管１４を止めねじ１５で固定する。
【００２７】
このように、ストレーナ９を縦樋管１４に沿って自由に移動させることができ、したがって縦樋管１４をドレイン本体２の上に何ら障害なく同軸的に配置させて据え付けることができる。
【００２８】
これに対し、前述のようなストレーナの内側に漏斗部が設けられているドレインの場合には、その漏斗部により規制されてストレーナを縦樋管に沿って移動させることが困難となり、このため縦樋管を二段式構造にするような手段を採用しなければならず、したがって据え付けの作業が面倒となり、またコストも嵩んでしまうことになるが、この発明のドレインでは漏斗部８がドレイン本体２に設けられているから、このような問題を解消することができる。
【００２９】
図２および図３にはこの発明の第２の実施形態を示してあり、この実施形態における雨水用ドレインにおいては、ドレイン本体２の受皿部４が比較的底の深い角形の皿形状に形成され、その深さの分、水返し壁６のレベルの位置が低くなっている。
【００３０】
そして受皿部４の上面の開口部に角形のプレート状をなすストレーナ９が水平に設けられ、止めねじ１０を介してドレイン本体２に固定されている。このストレーナ９には、中央部に円形の接続口１３が形成され、この接続口１３の両側に通水孔１１がそれぞれ複数ずつ形成されている。
【００３１】
ストレーナ９に形成された接続口１３内にはその上方からガイドパイプ１８が抜き差し自在に差し込まれている。このガイドパイプ１８の周面には均等的に複数のストッパー１８ａが一体に形成され、これらストッパー１８ａによりガイドパイプ１８の差し込み寸法が一定となるよう規制されている。
【００３２】
このような構成においても、前記第１の実施形態の場合と同様の効果を得ることができるが、特に受皿部４の深さが深いため雨水の吹き上がりや飛散をより確実に抑えることができる。
【００３３】
また、ストレーナ９がプレート状で、このストレーナ９にガイドパイプ１８を介して縦樋管１４が接続されているから、縦樋管１４の据え付けの施工に際しては、ストレーナ９をドレイン本体２から特に取り外すことなく、単に縦樋管１４にガイドパイプ１８を通し、縦樋管１４をドレイン本体２を同軸的に配置させた後に、ガイドパイプ１８を下方にスライドしてストレーナ９の接続口１３内に挿入するだけで、容易に能率よく縦樋管１４をドレインに据え付けることができる。
【００３４】
【発明の効果】
以上説明したようにこの発明のファンネル式雨水用ドレインによれば、縦樋管から流出する雨水をドレイン本体内の漏斗部を通して吹き上がりや飛散を伴うことなく順次円滑にその下方に排出でき、したがってドレイン本体から雨水が溢れ出たり不快な不協和音が生じるようなことがなく、また漏斗部がドレイン本体内に設けられているからドレインに対する縦樋管の据え付けの施工を容易に能率よく行なうことができる。
【図面の簡単な説明】
【図１】この発明の第１の実施形態に係るファンネル式雨水用ドレインを示す断面図。
【図２】この発明の第２の実施形態に係るファンネル式雨水用ドレインを示す断面図。
【図３】その雨水用ドレインの平面図。
【図４】従来の雨水用ドレインを示す断面図。
【符号の説明】
１…コンクリートスラブ
２…ドレイン本体
３…スペーサ
４…受皿部
５…筒部
６…水返し壁
７…切欠部
８…漏斗部
９…ストレーナ
１４…縦樋管
【図１】
0003600182.tif 000002
【図２】
0003600182.tif 000003
【図３】
0003600182.tif 000004
【図４】
0003600182.tif 000005